(57)【要約】      （修正有）【課題】内部が奥行きがあって、前後方向の長さを容易に得られる組立式家屋を提供する。【解決手段】前側周壁面１０、後側周壁面２０、左側周壁面３０、右側周壁面４０からなる。各周壁面は、発泡スチロールを構成材として作られ、その外側がモルタルなどで強化されたものである。前後左右は、右下に示した矢印の方向とする。前側周壁面１０は、略扇形分割片１１で構成される。その外形は、半球状のドームを２分割した形である。後側周壁面２０も同様で、略扇形分割片１１で構成される。略扇形分割片１１は、上部先端が頂部ジョイント１２に嵌合される。前側周壁面１０にはドア枠体２１が組み込まれ、ドア枠体の内側にはドアが取り付けられる。右側周壁面には、２つの出窓２２が組み込まれている。後側周壁面２０にも、ドア枠体２１が組み込まれている。左側周壁面３０と右側周壁面４０は、それぞれ２枚の矩形分割片３１ａと３１ｂで構成した。【選択図】図１
0003106826.tif 000002
【実用新案登録請求の範囲】
【請求項１】
少なくとも２つのリング状の頂部ジョイントと、所定の幅を有する発泡スチロール製の矩形分割片が接着されてなる左側周壁面と、前記左側壁面と対称に設けられ、同様に構成されてなる右側周壁面と、前記頂部ジョイントの１つに嵌合され発泡スチロール製の略扇形分割片が接着されてなる半球形を２分割した形状の前側周壁面と、前記頂部ジョイントの他の１つに嵌合され発泡スチロール製の略扇形分割片が接着されてなる半球形を２分割した形状の後側周壁面とを備えて、
家屋左右方向の断面が組み立てられた状態で半円形に形成されると共に、前記矩形分割片が、必要とされる家屋の前後方向の長さに応じて、前記左周壁面と前記右周壁面に組み込まれることを特徴とする組立式家屋。
【請求項２】
天窓と出窓が組み込まれ、発泡スチロール製で所定の幅を有する複数の矩形分割片が接着されてなる左側壁面と、前記家屋左側壁面と左右対称に設けられ、同様に構成されてなる右側壁面と、ドアが組み込まれ、発泡スチロール製の板状分割片が接着されて構成され、前記左側壁面と前記右側壁面の内側に取り付けられる前側周壁面と、前記前側周壁面と同じ構成の後側周壁面とを備えて、
家屋左右方向の断面が組み立てられた状態で半楕円形に形成されると共に、前記矩形分割片が、必要とされる家屋の前後方向の長さに応じて、前記左周壁面と前記右周壁面に組み込まれることを特徴とする組立式家屋。
【考案の詳細な説明】
【技術分野】
【０００１】
本考案は、発泡スチロールの複数の分割片からなり、家屋の前後方向の長さを自在に設計できるようにした組立式ハウスに関する。
【背景技術】
【０００２】
発泡スチロールを構成材とする組立式ドーム型ハウスは、バンガローなどと比較して建設費がかさまず、耐久性があり、保温性や保冷性にも優れ、工事期間も短いことで知られる。従って、高級感のある簡易宿泊施設を実現できる。（特許文献１参照）
【０００３】
このような組立式ドーム型ハウスの形状は半球形のドームである。そのため、ドーム型ハウスを倉庫、集会所、多目的ホールなどにも適用しようとすると、内部の空間が円形で、奥行きのある空間がないから、やや使いずらいものとなる。複数のドーム型ハウスを連結して内部空間を増やすとしても、内部空間の全体が見渡せないから、ホールなどにはやや適さない。
【特許文献１】国際公開番号ＷＯ０１／４４５９３
【考案の開示】
【考案が解決しようとする課題】
【０００４】
本考案の目的は、内部が奥行きのある家屋（倉庫やホールなども含む）であって、必要とされる家屋の前後方向の長さを容易に得られる組立式家屋を提供することにある。また、家屋を構成する分割片を家屋の前後左右で共通化することである。
【課題を解決するための手段】
【０００５】
上記の目的を達成するため、本考案による請求項１に記載の組立式家屋は、少なくとも２つのリング状の頂部ジョイントと、所定の幅を有する発泡スチロール製の矩形分割片が接着されてなる左側周壁面と、前記左側壁面と対称に設けられ、同様に構成されてなる右側周壁面と、前記頂部ジョイントの１つに嵌合され発泡スチロール製の略扇形分割片が接着されてなる半球形を２分割した形状の前側周壁面と、前記頂部ジョイントの他の１つに嵌合され発泡スチロール製の略扇形分割片が接着されてなる半球形を２分割した形状の後側周壁面とを備えて、家屋左右方向の断面が組み立てられた状態で半円形に形成されると共に、前記矩形分割片が、必要とされる家屋の前後方向の長さに応じて、前記左周壁面と前記右周壁面に組み込まれることを特徴とする。
【０００６】
本考案による請求項２に記載の組立式家屋は、天窓と出窓が組み込まれ、発泡スチロール製で所定の幅を有する複数の矩形分割片が接着されてなる左側壁面と、前記家屋左側壁面と左右対称に設けられ、同様に構成されてなる右側壁面と、ドアが組み込まれ、発泡スチロール製の板状分割片が接着されて構成され、前記左側壁面と前記右側壁面の内側に取り付けられる前側周壁面と、前記前側周壁面と同じ構成の後側周壁面とを備えて、家屋左右方向の断面が組み立てられた状態で半楕円形に形成されると共に、前記矩形分割片が、必要とされる家屋の前後方向の長さに応じて、前記左周壁面と前記右周壁面に組み込まれることを特徴とする。
【考案の効果】
【０００７】
本考案による請求項１に記載の組立式家屋は、（１）ドーム型ハウスを真中で２分割し、その間に半円筒状の中央部を設けた形態であるから、前後方向に家屋の長さを延長することができる。すなわち、家屋中央部の周壁は、所定の幅を有する矩形分割片で構成されるから、必要とされる家屋の前後方向の長さになるように矩形分割片を組み込むことにより、左側壁面と右側壁面を構成することができる。（２）矩形分割片は、上下に分割しないなら１枚が、上下に分割するなら１組のセットがあれば繰り返し使用でき、また、左側周壁面と右側周壁面で共通にできる。略扇形分割片は、上下に分割しないなら１枚があれば、上下に分割するなら１組のセットがあれば繰り返し使用でき、また、前側周壁面と後側周壁面で共通にできる。（３）家屋の前後に丸く張り出した周壁を設けたので、風などの外力に対して構造的に強い。（４）組み立てられた状態では、家屋左右方向の断面が半円形となるから、家屋の幅を約５〜７ｍとした場合、人の出入りに妥当な２．５〜３．５ｍの家屋の高さにできる。家屋の幅がそれほど広くない場合に向く。
【０００８】
本考案による請求項２に記載の組立式家屋は、（１）かまぼこ型であるから、前後方向に家屋の長さを延長することができる。すなわち、家屋中央部の周壁は、所定の幅を有する矩形分割片で構成されるから、必要とされる家屋の前後方向の長さになるように、矩形分割片を組み込むことにより、左側壁面と右側壁面を構成することができる。（２）矩形分割片は、上下に分割しないなら１枚があれば、上下に分割するなら１組のセットがあれば、繰り返し使用でき、また、左側周壁面と右側周壁面で共通にできる。また、前側周壁面の分割片は後側周壁面と共通にできる。（３）前側周壁面と後側周壁面が、左側周壁面と右側周壁面の内側に取り付けられるから、出入口の庇として機能させることができる。（４）組み立てられた状態では、家屋左右方向の断面は半楕円形となるから、家屋の幅が例えば約１０ｍであっても、家屋の高さを例えば３．５ｍ程度の適切な値にすることができる。家屋の幅が広い場合に向く。
【考案を実施するための最良の形態】
【０００９】
以下、図面を参照して、本考案による組立式家屋について説明する。
【実施例１】
【００１０】
図１（ａ）は、組立式家屋の外観図である。図１（ａ）に示すように、組立式家屋１００Ａは、前側周壁面１０、後側周壁面２０、左側周壁面３０、右側周壁面４０からなる。各周壁面は、発泡スチロールを構成材として作られ、その外側がモルタルなどで強化されたものである。前後左右は、右下に示した矢印の方向とする。
前側周壁面１０は、略扇形分割片１１で構成される。その外形は、半球状のドームを２分割した形である。後側周壁面２０も同様で、略扇形分割片１１で構成される。略扇形分割片１１は、上部先端が頂部ジョイント１２に嵌合される。前側周壁面１０にはドア枠体２１が組み込まれ、ドア枠体の内側にはドアが取り付けられる。右側周壁面には、２つの出窓２２が組み込まれている。後側周壁面２０にも、ドア枠体２１が組み込まれている。左側周壁面３０と右側周壁面４０は、それぞれ２枚の矩形分割片３１ａと３１ｂで構成した。これによって、分割片の運搬や取り扱いやすさを図っている。
【００１１】
図１（ｂ）は、組立式家屋１００Ａの分解斜視図である。図１（ｂ）に示すように、前側周壁面１０は、５枚の略扇形分割片１１からなる。後側周壁面２０も同様で、同じ５枚の略扇形分割片１１からなる。前側周壁面１０と後側周壁面２０の略扇形分割片１１は、先端部がそれぞれ頂部ジョイント１２に嵌合される。前側周壁面１０の略扇形分割片１１にはドア枠体２１が組み込まれているが、略扇形分割片１１は基本的に１０枚とも同じ形状であり、共通化されている。
左側周壁面３０と右側周壁面４０は、矩形分割片３１ａと３１ｂが、それぞれ２組づつ使用されて共通化が図られている。矩形分割片３１ａと３１ｂは、家屋の前後方向の長さに応じて組みこまれる。
【００１２】
図２（ａ）は、組立式家屋の平面図である。図２（ａ）に示すように、組立式家屋１００Ｂは、前側周壁面１０、後側周壁面２０、左側周壁面３０、右側周壁面４０からなる。組立式家屋１００Ａと基本的に同じであるが、後側周壁面２０にはドア枠体２１がなく、２つの出窓２２を設け、右側周壁面４０には出窓２２がない。
前側周壁面１０は、発泡スチロール製の５枚の略扇形分割片１１で構成される。前側周壁面１０の底面は半円形である。後側周壁面２０も同様で、同じ５枚の略扇形分割片１１で構成される。略扇形分割片１１は、上部先端が頂部ジョイント１２に嵌合される。頂部ジョイント１２は中央部の円孔にガラスがはめ込まれて天窓となっている。ここに換気口を設けてもよい。前側周壁面１０にはドア枠体２１と、２つの出窓２２が組み込まれている。ドア枠体の内側には、ドアが取り付けられる。後側周壁面２０には、２つの出窓２２が組み込まれている。
【００１３】
左側周壁面３０は、頂部から基部にかけて覆う１枚の矩形分割片３１で構成している。矩形分割片３１は、所定の幅を有しており、これを２枚使用している。右側周壁面４０も同様で、コーナー部分などの細部に違いはあるが、同じ２枚の矩形分割片３１で構成される。矩形分割片３１は、左右対称に、家屋の頂部のちょうど中央で接合される。左側周壁面３０と右側周壁面４０が作る内部空間は、前と後が半円形の前側周壁面１０と後側周壁面２０に接合されて、半円筒状の形状を有する。組立式家屋１００Ｂの高さは、幅αの半分で、幅αを６ｍとした場合、高さは３ｍとなる。組立式家屋１００Ｂの前後方向の長さは、矩形分割片３１の幅ｗに、使用枚数を乗じて、幅αを加えた値となる。幅ｗを２ｍとした場合、ドア枠体２１の出張りを無視すると、組立式家屋１００Ｂの前後方向の長さは、１０ｍ（＝２枚×２ｍ＋６ｍ）となる。
【００１４】
図２（ｂ）は、組立式家屋１００Ｂの断面図である。図２（ｂ）に示すように、各周壁面の厚さはほぼ一定で、約２０ｃｍである。各周壁面の基部はすべてＬ字形で、土台にはめ込まれる。隣接する分割片の端部には、それぞれ凹または凸を有する端面４１が形成され、互いに嵌合され、接着剤で接合される。
リング状の頂部ジョイント１２は、外側面に凹部が形成されて、ここに分割片の先端がはめ込まれる。
【００１５】
図２（ｃ）は、組立式家屋の平面図である。図１（ｃ）に示すように、組立式家屋１００Ｃは、左側周壁面３０と右側周壁面４０をそれぞれ４枚の矩形分割片３１で構成したものである。また、頂部には３つの頂部ジョイント１２を設けた。ドア枠体２１は、前側周壁面１０と後側周壁面２０の両方に設けている。このように矩形分割片３１の枚数を増やして、家屋の前後方向の長さを必要とされる長さにできる。
【実施例２】
【００１６】
図３は、組立式家屋の外観図である。図３に示すように、組立式家屋２００は、かまぼこ型で、前側周壁面５０と、後側周壁面６０と、左側周壁面７０と、右側周壁面８０とからなる。
前側周壁面５０は、発泡スチロール製の板状の分割片５１、５２で構成される。また、ドア６１がはめ込まれて、左側周壁面７０と右側周壁面８０の内側に取り付けられる。これによって、ドア６１の庇として機能させている。後側周壁面６０も同様である。
【００１７】
左側周壁面７０は、発泡スチロール製で、所定の幅を有する矩形分割片７１、７２、７３がセットで、前後方向にそれぞれ５枚使用されている。右側周壁面８０も同様で、左側周壁面７０と左右対称に、矩形分割片７１、７２、７３がセットで、前後方向にそれぞれ５枚使用されている。
【００１８】
左側周壁面７０には、あらかじめ決められた間隔で、ここでは２つの天窓５５と２つの出窓６２が組み込まれる。右側周壁面８０も同様に２つの天窓５５と２つの出窓６２が組み込まれる。
【００１９】
左側周壁面７０と右側周壁面８０は、家屋の頂部のちょうど中央で接合される。左側周壁面７０と右側周壁面８０が形成する内部空間は、家屋左右方向の断面が半楕円形となるように、矩形分割片７１、７２、７３の曲面が形成されている。従って、家屋の幅が広くても、家屋の高さはそれほど高くならないようにできる。
また、各分割片は発泡スチロール製で、隣接する分割片の端部には、それぞれ凹または凸の端面４１が形成され、互いに嵌合され、接着剤で接合される。
【産業上の利用可能性】
【００２０】
本考案の組立式家屋は、バンガローやテント以上に堅固で、分割片が規格化できるから大量生産が可能で、倉庫、集会所、ホールに限らず、一般住宅、簡易住宅、別荘など幅広く適用できる。
【図面の簡単な説明】
【００２１】
【図１】本考案による組立式家屋を示す。（ａ）は外観図である。（ｂ）は分解斜視図である。（実施例１）
【図２】本考案による組立式家屋を示す。（ａ）は平面図である。（ｂ）は断面図である。（ｃ）は奥行きを長くした場合の平面図である。（実施例１）
【図３】本考案による組立式家屋を示す。（実施例２）
【符号の説明】
【００２２】
１０    前側周壁面
１１    略扇形分割片
１２    頂部ジョイント
２０    後側周壁面
２１    ドア枠体
２２    出窓
３０    左側周壁面
３１    矩形分割片
３１ａ、３１ｂ    矩形分割片
４０    右側周壁面
４１    分割片の端面
５０    前側周壁面
５１、５２    板状の分割片
５５    天窓
６０    後側周壁面
６１    ドア
６２    出窓
７０    左側周壁面
７１、７２、７３    矩形分割片
８０    右側周壁面
１００Ａ    組立式家屋（実施例１）
１００Ｂ    奥行きの長い組立式家屋（実施例１）
１００Ｃ    後側周壁面にドア枠体のある組立式家屋（実施例１）
２００    組立式家屋（実施例２）
【図１】
0003106826.tif 000003
【図２】
0003106826.tif 000004
【図３】
0003106826.tif 000005